(57)【特許請求の範囲】
【請求項１】
筐体と、
前記筐体内において分周時分秒の輪列から独立別個に回転すると共に、表示部材として用いられる内転リングと、
前記筐体の側面部に固定されたパイプと、
前記パイプに対して押し込み動作および引き出し動作が可能な操作用軸と、
前記操作用軸の回転を前記内転リングに伝達すると共に、前記回転の伝達を前記操作用軸の押し込み動作により解除するクラッチと、
前記操作用軸の一端部に設けられると共に、前記筐体の側面部に配置され内壁面にネジ溝を有するカップ形状の竜頭と、
前記クラッチが解除されてから更に前記操作用軸を押し込みながら回転させることで、前記ネジ溝と螺合する前記パイプの端部に設けられたネジ山と、
を含むことを特徴とする腕携帯用機器。
【請求項２】
前記クラッチは、
前記操作用軸を貫通させて固定される第１の回転伝達部材と、
前記第１の回転伝達部材から回転を伝達されると共に、前記内転リングに設けられた第２の回転伝達部材と、
を含み、且つこれら第１の回転伝達部材および第２の回転伝達部材との回転伝達は、前記操作用軸の押し込み動作により解除されることを特徴とする請求項１に記載の腕携帯用機器。
【請求項３】
前記クラッチは、
前記操作用軸に形成された多角形の断面形状を有する膨らみ部と、
前記操作用軸を貫通させる貫通孔を有すると共に、前記貫通孔の内周面において前記膨らみ部と少なくとも一面において係合し、且つ、その外周面において前記内転リングと係合する中間車と、
を含み、さらに、前記膨らみ部と前記中間車との係合は、前記操作用軸の押し込み動作により解除されることを特徴とする請求項１に記載の腕携帯用機器。
【請求項４】
前記クラッチは、
前記操作用軸に形成された摩擦部材からなる膨らみ部と、
前記操作用軸を貫通させる貫通孔を有すると共に、前記貫通孔の内周面において前記膨らみ部と接触し、且つ、その外周面において前記内転リングと係合する中間車と、
を含み、さらに、前記膨らみ部と前記中間車との係合は、前記操作用軸の押し込み動作により解除されることを特徴とする請求項１に記載の腕携帯用機器。
【請求項５】
さらに、前記内転リングの側面に設置されると共に、前記筐体の内壁に付勢する弾性系部材からなるクッションを含むことを特徴とする請求項１乃至４のいずれか一に記載の腕携帯用機器。
【発明の詳細な説明】
【０００１】
【発明の属する技術分野】
この発明は、腕携帯用機器に関し、更に詳しくは、分周時分秒の輪列から独立別個に回転する表示部材を備える腕携帯用機器に関する。
【０００２】
【従来の技術】
腕携帯用機器において、筐体の内部に設置された表示部材を筐体の外部に取り付けられた竜頭によって回転させ、操作する技術は、現在公知となっている。図８は、従来における腕時計１００の本体を示す平面図であり、図９は、図８に記載した腕時計１００の要部付近を示す側面断面図である。図８および図９において、腕時計１００は、時計ケース１０１内に文字板１０２と目盛リング１０３とを有している。
【０００３】
また、時計ケース１０１の側面部には、目盛リング１０３を回転させるための竜頭１０４が、時分秒針の修正を行う竜頭１０５とは別個独立して取り付けられている。この竜頭１０４は、金属部材からなり、カップ状の形状を有している。この竜頭１０４のカップ底面部は、金属部材からなる円柱形状の操作用軸１０６の一端部に、覆い被さるように一体形成されている。操作用軸は、時計ケースを貫通して固定設置されたパイプ１０７を通り、時計ケース１０１内に挿入されている。
【０００４】
挿入された操作用軸１０６の先端部１０８付近にはプラスチックまたは金属部材からなる歯車１０９が嵌め込まれており、この歯車１０９は、金属部材からなるリング状の固定部材１１０によって操作用軸１０６に固定されている。一方、前記目盛リング１０３は、時計ケース１０１内において、その表示部１１１を時計ガラス１１２側に、底面部１１３を文字板１０２側に、側面部１１４を時計ケース１０１の内壁側に向けて配置されている。目盛リング１０３は、その裏面の周縁部１１５にラック１１６を有しており、目盛リング１０３は、このラック１１６において、前記歯車１０９と噛み合っている。
【０００５】
この腕時計１００において、目盛リング１０３を調整するときには、竜頭１０４を指先でつまんで軸方向に回転させる。すると、竜頭１０４に一体形成されている操作用軸１０６も回転し、その先端部１０８に固定された歯車１０９も回転する。歯車１０９が回転すると、これと噛み合う目盛リング１０３のラック１１６が送られ、目盛リング１０３も回転する。かくして、目盛リング１０３を時計のガラス１１２越しに見つつ、竜頭１０４の操作によって所望の位置に調整することができる。
【０００６】
このように、従来の腕時計１００においては、目盛リング１０３と時計ケース１０１の側面部に取り付けられた竜頭１０４とは、操作用軸１０６および歯車１０９を介して常に連結されていた。このため、腕に装着しているときに、身体や衣類等との接触によって竜頭１０４が回転し、目盛リング１０３がズレてしまうことがあった。このため、従来の腕時計１００においては、竜頭１０４の内壁面に弾性系部材からなるリング状の摩擦部材１１７を設け、パイプ１０７との間に摩擦を生じさせることによってその無用な回転を抑制し、目盛リング１０３の誤動作を防止していた。なお、目盛リング１０３の底面部１１３に設けた部材１１８は、回転時における目盛リング１０３のガタつきを防止するための弾性系部材からなる環状のクッション１１８である。また、操作用軸１０６の中間部に設けられた部材１１９は、操作用軸１０６とパイプ１０７との隙間を封止する弾性系部材からなる環状の防水パッキン１１９である。
【０００７】
【発明が解決しようとする課題】
しかしながら、前記目盛リング１０３の誤動作は、上述のようなクッション１１７の設置によっては完全には防止することができなかった。また、腕携帯用機器がスポーツ用途などに用いられる場合には、竜頭１０４と身体等との激しい接触をも考慮する必要もある。一方で、前記誤動作を防止するため、前記クッション１１７の締め付け度をむやみに大きくすることは、目盛リング１０３の調整にあたり竜頭１０４を回すために過度の力が必要となるところ、一定の限界がある。
【０００８】
そこで、この発明は、上記に鑑みてなされたものであって、表示部材の誤動作を有効に防止することができる腕携帯用機器を提供することを目的とする。
【０００９】
【課題を解決するための手段】
上記目的を達成するために、この発明の携帯用機器は、筐体と、前記筐体内において分周時分秒の輪列から独立別個に回転すると共に、表示部材として用いられる内転リングと、前記筐体に対して押し込み動作および引き出し動作が可能な操作用軸と、前記操作用軸の回転を前記内転リングに伝達すると共に、前記回転の伝達を前記操作用軸の押し込み動作により解除するクラッチと、前記操作用軸の一端部に設けられると共に、前記筐体の側面部に配置される竜頭と、を含むことを特徴とする。
【００１０】
この発明において、内転リングを回転させるときには、竜頭を指で摘み、竜頭を筐体から引き出す。すると、竜頭に固定された操作用軸も竜頭の引き出し方向に変位し、操作用軸と内転リングとのクラッチが繋がる。この状態で竜頭を回転させると操作用軸も回転し、操作用軸の回転はクラッチにより内転リングに伝達される。かくして、竜頭を回転しつつ内転リングを調整することができる。また、内転リングをロックするときには、竜頭を筐体内に押し込む。すると、上記引き出し動作とは逆の作用によりクラッチが外れ、前記操作用軸と内転リングとが分離される。この状態においては、竜頭が何らかの要因で誤って回転しても、竜頭と内転リングとはクラッチにおいて分離しているため、竜頭の回転は内転リングには伝達されない。なお、表示部材とは、文字や図形を表示する部材をいい、例えば、文字板、目盛リングなどが含まれる。
【００１１】
また、この発明の腕携帯用機器は、上記腕携帯用機器において、前記クラッチは、前記操作用軸を貫通させて固定された第１の回転伝達部材と、前記第１の回転伝達部材から回転を伝達されると共に、前記内転リングに設けられた第２の回転伝達部材と、を含み、且つこれら第１の回転伝達部材および第２の回転伝達部材との回転伝達は、前記操作用軸の押し込み動作により解除されることを特徴とする。
【００１２】
この発明において、内転リングのロック状態においては、第１の回転伝達部材と第２の回転伝達部材とは分離している。このロックを解除し、内転リングを回転させるときには、竜頭を指で摘み、竜頭を筐体から引き出す。すると、竜頭に設けた操作用軸が第１の回転伝達部材と共に竜頭の引き出し方向に変位し、第１の回転伝達部材は、内転リングの外周縁部に形成された第２の回転伝達部材と係合または摩擦接触する。この状態で竜頭を指先で回転させると、操作用軸も回転し、第１の回転伝達部材も回転する。すると、これに係合する第２の回転伝達部材も回転し、内転リングは回転する。かくして、内転リングは、竜頭を回転させることによって調整することができる。
【００１３】
さらに、内転リングをロックするときには、引き出されている竜頭を筐体内に押し込む。すると、操作用軸も竜頭の引き出し方向に変位し、第１の回転伝達部材および第２の回転伝達部材における回転伝達が解除される。かくして、クラッチは分離され、内転リングの誤動作は防止される。なお、クラッチを構成する第１の回転伝達部材と第２の回転伝達部材との組合せは、歯車とラック、円錐摩擦部材と摩擦部材その他の効率的な回転伝達が可能な組合せとすることが好ましい。なお、ここに言う回転が伝達されるとは、第１の回転伝達部材と第２の回転伝達部材とが直接に伝達する場合のみならず、その中間に中間車等の中間伝達部材を用いる場合を含むものとする。
【００１４】
また、この発明の腕携帯用機器は、前記クラッチは、前記操作用軸に形成された多角形の断面形状を有する膨らみ部と、前記操作用軸を貫通させる貫通孔を有すると共に、前記貫通孔の内周面において前記膨らみ部と少なくとも一面において係合し、且つ、その外周面において前記内転リングと係合する中間車と、を含み、さらに、前記膨らみ部と前記中間車との係合は、前記操作用軸の押し込み動作により解除されることを特徴とする。
【００１５】
この発明において、内転リングのロック状態においては、前記操作用軸の膨らみ部と中間車とは分離している。このロックを解除し、内転リングを回転させるときには、竜頭を指で摘み、筐体から引き出す。すると、竜頭に固定された操作用軸も竜頭の引き出し方向に変位し、操作用軸に形成された膨らみ部も変位する。ここで、竜頭を回転させつつ前記多面形状である膨らみ部を、中間車が有する貫通孔の内周面に係合させる。この状態で竜頭を指先で回転させると、操作用軸も回転し、その膨らみ部も回転する。すると、これに係合する中間車もその係合面からの外力によって回転し、内転リングも回転する。かくして、内転リングは、竜頭を回転させることによって調整することができる。さらに、内転リングをロックするときには、引き出されている竜頭を筐体内に押し込む。すると、操作用軸も竜頭の引き出し方向に変位し、操作用軸の膨らみ部と中間車の内周面との係合は外れる。かくして、クラッチは分離され、内転リングの誤動作は防止される。
【００１６】
なお、上記発明には、膨らみ部が、角錐、角錐台その他の多面形状を含むと共に前記操作用軸の引き出し側に前記中間車との係合面を配置した場合が含まれる。この場合、内転リングのロックを解除するときには、操作用軸の膨らみ部を、竜頭の引き出し動作によってその引き出し方向に変位させる。そして、竜頭を回転させて操作用軸の膨らみ部と中間車の内周面との係合部を探り、これらを係合させる。このとき、操作用軸の膨らみ部は、操作用軸の引き出し側にその中間車との係合面を向けているため、前記竜頭を引き出す力によって中間車に付勢される。さらに、操作用軸の膨らみ部は、竜頭の押し込み動作により、操作用軸がその押し込み方向に変位すると、中間車の内周面と分離する。
【００１７】
また、この発明の腕携帯用機器は、前記クラッチは、前記操作用軸に形成された摩擦部材からなる膨らみ部と、前記操作用軸を貫通させる貫通孔を有すると共に、前記貫通孔の内周面において前記膨らみ部と接触し、且つ、その外周面において前記内転リングと係合する中間車と、を含み、さらに、前記膨らみ部と前記中間車との係合は、前記操作用軸の押し込み動作により解除されることを特徴とする。
【００１８】
この発明において、内転リングのロック状態においては、前記操作用軸の膨らみ部と中間車とは分離している。このロックを解除し、内転リングを回転させるときには、竜頭を指で摘み、竜頭を筐体から引き出す。すると、竜頭に固定された操作用軸が膨らみ部と共に竜頭の引き出し方向に変位し、貫通孔の内周面と接触する。この状態で竜頭を指先で回転させると、操作用軸も回転し、その膨らみ部も回転する。すると、これに係合する中間車も、前記膨らみ部との摩擦力によって回転し、これにより内転リングも回転する。かくして、内転リングは、竜頭を回転させることによって調整することができる。さらに、内転リングをロックするときには、引き出されている竜頭を筐体内に押し込む。すると、操作用軸も竜頭の引き出し方向に変位し、操作用軸の膨らみ部と中間車の内周面との接触は解除される。かくして、クラッチが外れ、内転リングの誤動作が防止される。
【００１９】
なお、上記発明には、前記膨らみ部が、円錐、円錐台、球その他の曲面形状を含むと共に、前記操作用軸の引き出し側に前記中間車との接触部を配置した場合が含まれる。この場合、内転リングのロックを解除するときには、操作用軸の膨らみ部を、竜頭の引き出し動作によってその引き出し方向に変位させて、操作用軸の膨らみ部と中間車の接触面とを接触させる。このとき、操作用軸の膨らみ部は、操作用軸の引き出し側にその中間車との接触面を向けているため、前記竜頭を引き出す力によって中間車に付勢される。さらに、操作用軸の膨らみ部は、竜頭の押し込み動作により、操作用軸がその押し込み方向に変位すると、中間車の内周面と分離する。
【００２０】
また、この発明の腕携帯用時計は、さらに、前記操作用軸の押し込み時において、前記竜頭を前記筐体に固定する固定手段を含むことを特徴とする。
【００２１】
この発明において、竜頭は、前記操作用軸の押し込み時において、筐体に対して前記固定手段によって固定することができる。したがって、前記クラッチを分離した状態において、さらに、竜頭の引き出し動作を拘束することができるので、内転リングの誤動作を完全に防止することができる。
【００２２】
また、この発明の腕携帯用機器は、さらに、前記内転リングの側面に設置されると共に、前記筐体の内壁に付勢する弾性系部材からなるクッションを含むことを特徴とする。この発明において、内転リングの側面に設置されたクッションは、筐体の内壁に付勢し、内転リングの回転時におけるガタつきを防止する。
【００２３】
【発明の実施の形態】
以下、この発明につき図面を参照しつつ詳細に説明する。なお、この実施の形態によりこの発明が限定されるものではない。また、以下に示す実施の形態の構成要素には、当業者が通常設計変更できるものが含まれるものとする。
【００２４】
図１ならびに図２は、この発明の実施の形態である腕時計１の要部付近を示す側面断面図であり、図１はその目盛リング１０３をロックした状態を、図２は前記ロックを解除した状態をそれぞれ示している。図３は、図１および図２に記載した腕時計１のクラッチ２を示す拡大斜視図であり、図４は図３に記載した中間車３を示す平面図（ａ）および側面断面図（ｂ）であり、図５は図３に記載した操作用軸４を示す正面図（ｂ）および側面図（ｂ）である。なお、図１乃至図５において、上記従来の腕時計１００と同一の構成要素には同一の符号を付し、その説明を省略する。
【００２５】
図１において、腕時計１が備える金属部材からなる竜頭５は、カップ形状の外殻６と前記外殻の底面部７に一体形成された円柱形状の軸８とを有している。前記竜頭５の軸８の先端には、金属部材からなり、この軸８のほぼ半分の径を有する円柱形状の操作用軸４が、竜頭５の回転軸と同軸上にねじ込んで取り付けられている。この操作用軸４は、その先端部１０付近に正八角形の断面形状を有する膨らみ部１１を有している（図５参照）。この膨らみ部１１と円柱側面部１２との段差は、緩やかなテーパ状の斜面１３によって平滑化されている。前記操作用軸４と竜頭５の軸８とは、時計ケース１０１を貫通して固定設置された金属パイプ１４に差し込まれている。このパイプ１４と前記竜頭５の軸８とは、隙間嵌めの関係にある。
【００２６】
したがって、竜頭５の軸８は、パイプ１４に対して自由に回転することができ、また、押し込み動作や引き出し動作も可能である。パイプ１４に差し込まれた操作用軸４の先端部１０は、このパイプ１４を貫通し、時計ケース１０１の内部に位置している。操作用軸４の先端部１０には、金属部材からなる環状の中間車３が嵌め込まれている。なお、操作用軸４の先端部１０には、操作用軸４が竜頭５の引き出し動作によって中間車３から抜けてしまう事態を防止するため、止め輪１５が嵌め込まれている。中間車３の内周面は、前記操作用軸４の膨らみ部１１と隙間嵌めで嵌まり合う正八角形の形状を有している（図３参照）。したがって、中間車３は、前記操作用軸４の膨らみ部１１とは係合するが、その円柱側面部１２とは係合しない。また、中間車３は、その上面にカギ状の係止部１６を有していおり、この係止部１６において、前記パイプ１４の端部に形成された係止片１７と係合し、回転自在に保持されている。
【００２７】
一方、時計ケース１０１内に設置された目盛リング１０３は、その裏面周縁部１１５にラック１１６を有している。このラック１１６は、前記中間車３の歯１８と噛み合っている。なお、目盛リング１０３の底面部１１５に設けた環状の部材１１８は、回転時における目盛リング１０３のガタつきを防止するゴム系部材からなるクッション１１８である。また、操作用軸４の外周面上に設けられた環状の部材１１９は、操作用軸４とパイプ１４との隙間を封止するゴム系部材からなる環状の防水パッキン１１９である。
【００２８】
また、この腕時計１において、竜頭５は、そのカップ形状の外殻７の内壁面にネジ溝１９を有し、パイプ１４は、その時計ケース１０１から突出した端部にネジ山２０を有している。竜頭５は、このネジ溝１９をパイプ１４のネジ山２０に螺り合わせることにより、時計ケース１０１に対し固定することができる。また、これらのネジ溝１９およびネジ山２０は、操作用軸４の膨らみ部１１と中間車３とが嵌まり合う手前で、竜頭５を固定および解除することができる幅に切ってある。図１はその固定状態を示した側面断面図であり、図２はその解除状態を示した側面断面図である。一方、パイプ１４内部にはコイルバネ２１が弾性圧縮状態で組み込まれている。このコイルバネ２１は、その一端部をパイプ１４先端の係止片１７に、他端部を竜頭５の軸８の先端部に付勢し、竜頭５を時計ケース１０１から押し出す方向に作用している。
【００２９】
図１において、竜頭５は、パイプ１４に対してネジ構造１９，２０によって固定された状態にある。この状態においては、操作用軸４は、その膨らみ部１１の手前において中間車３を貫通している。したがって、同図において、竜頭５と目盛リング１０３とは分離した状態にあるため、竜頭５が回転しても目盛リング１０３は回転しない。また、竜頭５自体もネジでしっかりと固定されているため、時計を装着しているときに身体等と接触しても、容易には回転しない。
【００３０】
目盛リング１０３を調整するときには、竜頭５の外殻６を指先で摘み、ネジ１９，２０を外す方向に回転させる。すると、ネジ１９，２０は、操作用軸４の膨らみ部１１と中間車３とが嵌まり合う直前で外れる。次に、操作用軸４の膨らみ部１１が中間車３に嵌め合わさるように、指先で探りつつ竜頭５を時計ケース１０１から引き出す。なお、このときコイルバネ２１は、竜頭５を時計ケース１０１から押し出す方向に作用する。したがって、竜頭５を軽く回転させつつ探るだけで、操作用軸４の膨らみ部１１を中間車３に嵌め込むことができる。膨らみ部１１が中間車３に嵌まったら、竜頭５を軸方向に回転させる。すると、操作用軸４も回転し、これと共に中間車３も回転する。そして、中間車３の歯１８によって、目盛リング１０３のラック１１６が送られ、目盛リング１０３は回転する（図２参照）。かくして、目盛リング１０３を、竜頭５によって、時計のガラス１１２越しに見つつ、所望の位置に調整することができる。
【００３１】
さらに、目盛リング１０３をロックするときには、この状態から竜頭５を真っ直ぐ回転させずに時計ケース１０１に押し込む。すると操作用軸４の膨らみ部１１は、目盛リングのラック１１６を送ることなく中間車３から外れる。竜頭５のネジ溝２０を時計ケース１０１に押し込みつつパイプ１４のネジ山２０に螺じり合わせ、固定する。
【００３２】
この腕時計１によれば、時計の装着状態においては、竜頭５はネジ構造１９、２０によって時計ケース１０１に固定することができる。この状態においては、時計が身体等と接触しても、竜頭５が、時計ケース１０１から引き出されることはない。また、竜頭５が時計ケース１０１も固定されている状態においては、操作用軸４と中間車３とは分離されている（図１参照）。したがって、この状態においては目盛リング１０３の位置がズレることもない。このように、この腕時計１によれば、目盛リング１０３の誤動作を有効に防止することができる。なお、本実施の形態である腕時計１においては、竜頭５の軸６と操作用軸４とは別部品であるが、これらは、後述する変形例のように一体として形成してもよい（図６参照）。
【００３３】
また、前記操作用軸４の膨らみ部１１ならびに中間車３の内周面形状は、上記したような正八角形に限定されない。また、前記操作用軸４の膨らみ部１１の形状は、角柱形状に限定されず、角錐形状、角錐台形状、円錐形状、円錐台形状その他のテーパ状形状としてもよい。また、前記操作用軸４の膨らみ部１１ならびに中間車３の材質は、金属部材に限定されず、ゴム系部材その他の摩擦部材としてもよい。
【００３４】
また、本実施の形態においては、中間車３と目盛リング１０３のラック１１６とを、直接噛み合わせる構造としたが、これらの中間にさらに１または２以上の別個のギア（図示省略）を配置し、中間車３と目盛リング１０３のラック１１６とを継ぐ構成としてもよい。また、本実施の形態においては、目盛リング１０３のラック１１６は、目盛リング１０３の裏面周縁部に形成したが、このような配置に限定されず、側面部もしくは表面部に形成してもよい。
【００３５】
さらに、本実施の形態においては、前記内転リングのクッション１１８は、目盛リング１０３の底面部と文字板１０２との間に設置したが、これに限定されず、目盛リング１０３の側面部１１４と時計ケース１０１の内壁との間に設置してもよい（図６参照）。
【００３６】
また、竜頭５の固定構造は、前記ネジ構造１９、２０に限定されず、バヨネット構造（図示省略）により固定する構造としてもよい。また、竜頭５に前記ネジ構造１９，２０とは別個の留めネジ（図示省略）を設置し、この留めネジによって竜頭５を固定してもよい。過誤による竜頭５の引き出し動作を防止できるものであれば、目盛リング１０３の誤動作は防止できるからである。また、コイルバネ２１は、パイプ１４内に設置する場合に限られず、竜頭５の外殻７内に設置してもよい（図６および図７参照）。
【００３７】
［変形例］
図６ならびに図７は、図１乃至図５に記載した実施の形態である腕時計１の変形例を示す側面断面図であり、図６は、目盛リング１０３のロック状態を、図７は、その解除状態をそれぞれ示している。なお、図６および図７において、上記従来の技術ならびに実施の形態と同一の構成要素には同一の符号を付し、その説明を省略する。
【００３８】
図６および図７において、腕時計２２は、竜頭５を時計ケース１０１の側面に有し、また、目盛リング１０３を時計ケース１０１の内部に有している。この竜頭５は、金属部材からなり、カップ形状の外殻７を有している。また、外殻７の内側底面部には、円柱形状の軸８が一体形成されており、さらに、この軸８の先端部には、この軸８のほぼ半分の径を有する円柱形状の操作用軸２３が一体形成されている。また、腕時計２２は、時計ケース１０１を側面方向から貫通して固定設置されたパイプ１４を有している。竜頭の軸８と操作用軸２３とはこのパイプ１４に挿入されており、操作用軸２３の先端はパイプ１４を貫通して時計ケース１０１内部に導入されている。
【００３９】
これら竜頭５の軸８とパイプ１４とは隙間嵌めの関係にあり、竜頭５は、パイプ１４に対して回転動作、引き出し動作および押し込み動作を自在に行うことができる。また、操作用軸２３の先端部には、金属部材からなるかさ歯車２４が、その噛み合い部２６を操作用軸２３の引き出し方向に向けて嵌め込まれ、金属部材からなる止め輪１５によって固定されている。一方、目盛リング１０３の裏面周縁部には、前記かさ歯車２４噛み合うラック１１６が形成されている。なお、竜頭５の軸８の外周面にはゴム系部材からなる環状の防水パッキン１１９が設けらている。また、目盛リング１０３の底面部１１３および側面部１１４には回転時におけるガタつきを防止するためのゴム系部材からなる環状のクッション２５が設けられている。
【００４０】
図６に記載する腕時計２２において、竜頭５は時計ケース１０１にネジ構造１９、２０によって固定されており、また、かさ歯車２４とラック１１６とは分離した状態にあるため、この状態においては、目盛リング１０３は回転しない。ここで、目盛リング１０３を調整するときには、竜頭５を指で摘み、回転させてネジ構造１９，２０を外し、パイプ１４から分離する。そして、竜頭５を時計ケース１０１から引き出すことにより、操作用軸２３をその引き出し方向に変位させる。すると、操作用軸２３の先端に固定されているかさ歯車２４も変位し、目盛リング１０３のラック１１６と噛み合う（図７参照）。この状態で、竜頭５を回転させるとかさ歯車２４も回転し、ラック１１６が送られて目盛リング１０３も回転する。かくして、目盛リング１０３を竜頭によって、時計のガラス１１２越しに見つつ、所望の位置に調整することができる。
【００４１】
この腕時計１によれば、時計の装着状態においては、竜頭５はネジ構造１９、２０によって時計ケース１０１に固定され、また、操作用軸２３と中間車２３とは分離されている（図１参照）。したがって、時計が身体等と接触しても竜頭５が容易に回転せず、また、誤って回転した場合であっても、目盛リング１０３の位置がズレることはない。このように、この腕時計２２によれば、目盛リング１０３の誤動作を有効に防止することができる。また、目盛リング１０３に対する回転伝達手段をかさ歯車２４としたことより、歯車の噛み合い面が竜頭５の引き出し方向に向くため、柱状の歯車（図示省略）と比較してラック１１６との分離動作および係合動作がより容易となる。
【００４２】
なお、本変形例である腕時計２２においては、目盛リング１０３との係合手段としてかさ歯車２４およびラック１１６を用いたが、これらは円錐形状や円錐台形状の摩擦部材としてもよい。
【００４３】
【発明の効果】
以上説明したように、この発明である腕携帯用機器によれば、機器を腕に装着した状態において、竜頭と内転リングとをクラッチにおいて分離することができるため、竜頭が身体等と接触することによって生ずる内転リングの誤動作を、有効に防止することができる。
【００４４】
また、この発明である腕携帯用機器によれば、操作用軸の膨らみ部は、多角形の断面形状を有すると共に中間車の内周面と少なくとも一面において係合するので、操作用軸を金属部材等の非摩擦部材により形成した場合にもしっかりと中間車の内周面と係合する。
【００４５】
また、この発明である腕携帯用機器によれば、操作用軸の膨らみ部は摩擦部材により形成されているため、この膨らみ部を中間車の内周面に接触させるにあたり、竜頭を回転させてクラッチの係合面を探る必要がないため、容易に竜頭のロックを解除することができる。
【００４６】
また、この発明である腕携帯用機器によれば、竜頭を筐体に固定することができるので、内転リングをロックした状態のまま、竜頭が誤って引き出される事態を防止することができる。これにより、内転リングの誤動作を完全に防止することができる。
【００４７】
また、この発明である腕携帯用機器によれば、内転リングの側面にもクッション材を設置したため、従来の腕携帯用機器と比較して、より有効に内転リングの回転時におけるガタつきを防止することができる。
【図面の簡単な説明】
【図１】この発明の実施の形態である腕携帯用機器を示す断面図である。
【図２】この発明の実施の形態である腕携帯用機器を示す断面図である。
【図３】腕携帯用機器のクラッチ部を示す斜視図である。
【図４】中間車を示す平面図（ａ）および側面断面図（ｂ）である。
【図５】操作用軸を示す正面図（ａ）および側面図（ｂ）である。
【図６】図１に示した腕携帯用機器の変形例を示す断面図である。
【図７】図１に示した腕携帯用機器の変形例を示す断面図である。
【図８】従来の腕携帯用機器を示した平面図である。
【図９】図８に示した従来の腕携帯用機器の要部を示す側面断面図である。
【符号の説明】
１  腕時計
２  クラッチ
３  中間車
４  操作用軸
５  竜頭
６  外殻
７  カップ底面部
８  軸
１０  先端部
１１  膨らみ部
１２  円柱側面部
１３  平滑面
１４  パイプ
１５  止め輪
１６  係止部
１７  係止片
１８  歯
１９  ネジ溝
２０  ネジ山
２１  コイルバネ
２２  腕時計
２３  操作用軸
２４  かさ歯車
２５  クッション
２６  噛み合い面
【図１】
0005025855.tif 000002
【図２】
0005025855.tif 000003
【図３】
0005025855.tif 000004
【図４】
0005025855.tif 000005
【図５】
0005025855.tif 000006
【図６】
0005025855.tif 000007
【図７】
0005025855.tif 000008
【図８】
0005025855.tif 000009
【図９】
0005025855.tif 000010